(57)【特許請求の範囲】
【請求項１】
送信元から画像データを受信し、前記画像データを配信先に配信するファクシミリ装置であって、
前記配信先への配信が可能である場合、前記送信元からメールサーバを経由して自機宛メールを受信することにより、前記自機宛メールに含まれる前記画像データを受信し、前記配信先への配信が可能でない場合、前記自機宛メールを受信しない第１受信部と、
前記送信元から前記メールサーバを経由しないで前記画像データを受信する第２受信部と、
前記配信先への配信が可能でない場合、前記第２受信部が受信した前記画像データを前記自機宛メールとして前記メールサーバに転送する転送部と、
前記配信先への配信が可能である場合、前記第１受信部および前記第２受信部が受信した前記画像データを前記配信先に配信する配信部とを備える
ファクシミリ装置。
【請求項２】
前記転送部は、前記配信先を決定するための情報である転送情報を前記自機宛メールに付加して転送し、
前記配信部は、前記第１受信部が受信した前記自機宛メールに前記転送情報が付加されている場合、前記転送情報を用いて前記配信先を決定し、前記第１受信部が受信した前記画像データを前記配信先に配信する
請求項１に記載のファクシミリ装置。
【請求項３】
前記転送部は、送信元ファクシミリ番号、差出人メールアドレス、メールタイトルおよび配信先アドレスのうちいずれかを含む情報を前記転送情報として前記自機宛メールに付加して転送する
請求項２に記載のファクシミリ装置。
【請求項４】
前記転送部は、前記転送情報を前記自機宛メールのヘッダに付加して転送する
請求項２または請求項３に記載のファクシミリ装置。
【請求項５】
前記転送部は、前記転送情報を前記自機宛メールの本文に付加して転送する
請求項２または請求項３に記載のファクシミリ装置。
【請求項６】
前記転送部は、前記転送情報を前記自機宛メールの添付ファイルとして付加して転送する
請求項２または請求項３に記載のファクシミリ装置。
【請求項７】
前記第１受信部は、複数の配信先候補のうちいずれの配信先への配信も可能である場合、前記自機宛メールを受信し、前記複数の配信先候補のうちいずれかの配信先への配信が可能でない場合、前記自機宛メールの受信を停止し、
前記配信部は、前記複数の配信先候補のうちいずれの配信先への配信も可能である場合、前記複数の配信先候補から前記配信先を決定し、前記第１受信部および前記第２受信部が受信した前記画像データを前記配信先に配信し、
前記転送部は、前記複数の配信先候補のうちいずれかの配信先への配信が可能でない場合、前記第２受信部が受信した前記画像データを前記自機宛メールとして前記メールサーバに転送する
請求項１〜６のいずれか１項に記載のファクシミリ装置。
【請求項８】
前記配信部は、前記第１受信部が受信した前記画像データを配信する前記配信先を前記自機宛メールのヘッダにより決定し、
前記第１受信部は、前記自機宛メールの前記ヘッダを受信し、前記ヘッダによって決定される前記配信先への配信が可能である場合、前記自機宛メールを受信し、前記配信先への配信が可能でない場合、前記自機宛メールを受信しない
請求項１〜４のいずれか１項に記載のファクシミリ装置。
【請求項９】
前記第１受信部は、ＰＯＰにより前記自機宛メールを受信し、
前記第２受信部は、前記送信元から電話網経由による前記画像データの受信、および、前記送信元から前記メールサーバを経由しないダイレクトＳＭＴＰによる前記画像データの受信のうち、少なくとも一方により前記画像データを受信する
請求項１〜８のいずれか１項に記載のファクシミリ装置。
【発明の詳細な説明】
【技術分野】
【０００１】
本発明は、送信元から画像データを受信して、受信した画像データを配信先に配信するファクシミリ装置に関する。
【背景技術】
【０００２】
従来、ファクシミリ装置において、多くの技術が用いられている。
【０００３】
このような技術の一つに、インターネットファクシミリがある。インターネットファクシミリとは、画像データを電子メール（以下、「メール」と呼ぶ）として送受信する技術のことである。インターネットファクシミリを利用することにより、通信費が抑制される。
【０００４】
インターネットファクシミリを利用するファクシミリ装置として、例えば、特許文献１に記載されたファクシミリ装置がある。特許文献１に記載されたファクシミリ装置は、ＰＯＰ（Ｐｏｓｔ  Ｏｆｆｉｃｅ  Ｐｒｏｔｏｃｏｌ）を用いて、画像データを含むメールを受信する。
【０００５】
さらに、インターネットファクシミリを応用した技術に、ダイレクトＳＭＴＰ（Ｓｉｍｐｌｅ  Ｍａｉｌ  Ｔｒａｎｓｆｅｒ  Ｐｒｏｔｏｃｏｌ）がある。ダイレクトＳＭＴＰとは、メールサーバを経由しないで、直接、画像データを送受信する技術のことである。ダイレクトＳＭＴＰを利用することにより、リアルタイムの通信が可能になる。ダイレクトＳＭＴＰを利用するファクシミリ装置として、例えば、特許文献２に記載されたファクシミリ装置がある。
【０００６】
また、ＬＡＮ（Ｌｏｃａｌ  Ａｒｅａ  Ｎｅｔｗｏｒｋ）を介してファクシミリ装置に接続されたコンピュータ等である配信先に、受信した画像データを配信するファクシミリ装置がある。これにより、受信した画像データが、所望の配信先に電子ファイルとして保管される。したがって、受信した画像データの管理が容易になる。
【０００７】
そして、ファクシミリ装置のユーザは、このように配信された画像データを電子ファイルとして、コンピュータ等を介して閲覧することができる。そのため、紙による出力が不要になる。これにより、ファクシミリ装置は、ペーパーレス化を促進させることができ、環境保全対策にも有用である。このようなファクシミリ装置として、例えば、特許文献３に記載されたファクシミリ装置がある。
【先行技術文献】
【特許文献】
【０００８】
【特許文献１】特開２００７−０３６３２３号公報
【特許文献２】特開２００７−２０８７１２号公報
【特許文献３】特開２００２−２７１５３８号公報
【発明の概要】
【発明が解決しようとする課題】
【０００９】
しかしながら、送信元から画像データを受信して配信先に配信するファクシミリ装置は、配信先であるコンピュータ等が停止している場合、受信した画像データを配信先に配信することができない。
【００１０】
このような場合、ファクシミリ装置は、配信先への配信が可能になるまで、受信した画像データを維持しなければならない。そのため、ファクシミリ装置は、維持している画像データを管理するための機能が必要になる。画像データを管理するための機能は、ファクシミリ装置の構造を複雑にさせ、ユーザの操作も煩雑にさせる。
【００１１】
このような複雑な構造および煩雑な操作を避けるため、ファクシミリ装置は、受信した画像データを紙に印刷して出力する場合がある。しかし、この場合、ペーパーレス化による効果が低減される。また、印刷された紙を電子データとして管理するためには、ユーザは、印刷された紙をスキャナ等で電子化しなければならない。さらに、ユーザは、電子データを所望の配信先に格納する等、煩雑な作業を行わなければならない。
【００１２】
そこで、本発明は、配信先が停止している時に受信した画像データを配信先に配信することができるファクシミリ装置を提供することを目的とする。
【課題を解決するための手段】
【００１３】
上記課題を解決するため、本発明に係るファクシミリ装置は、送信元から画像データを受信し、前記画像データを配信先に配信するファクシミリ装置であって、前記配信先への配信が可能である場合、前記送信元からメールサーバを経由して自機宛メールを受信することにより、前記自機宛メールに含まれる前記画像データを受信し、前記配信先への配信が可能でない場合、前記自機宛メールを受信しない第１受信部と、前記送信元から前記メールサーバを経由しないで前記画像データを受信する第２受信部と、前記配信先への配信が可能でない場合、前記第２受信部が受信した前記画像データを前記自機宛メールとして前記メールサーバに転送する転送部と、前記配信先への配信が可能である場合、前記第１受信部および前記第２受信部が受信した前記画像データを前記配信先に配信する配信部とを備える。
【００１４】
これにより、配信先が停止している時に受信した画像データが、配信先に配信される。また、ファクシミリ装置は、配信先が停止している時に受信した画像データを維持する必要がない。
【００１５】
また、前記転送部は、前記配信先を決定するための情報である転送情報を前記自機宛メールに付加して転送し、前記配信部は、前記第１受信部が受信した前記自機宛メールに前記転送情報が付加されている場合、前記転送情報を用いて前記配信先を決定し、前記第１受信部が受信した前記画像データを前記配信先に配信してもよい。
【００１６】
これにより、配信先が停止している時に受信した画像データが、最初に受信した時の受信情報に基づいて、所望の配信先に配信される。
【００１７】
また、前記転送部は、送信元ファクシミリ番号、差出人メールアドレス、メールタイトルおよび配信先アドレスのうちいずれかを含む情報を前記転送情報として前記自機宛メールに付加して転送してもよい。
【００１８】
これにより、ファクシミリ装置は、配信先を決定することができる。
【００１９】
また、前記転送部は、前記転送情報を前記自機宛メールのヘッダに付加して転送してもよい。
【００２０】
これにより、ファクシミリ装置は、自機宛メールのヘッダに基づいて、転送された画像データであるか否かを判断することができる。
【００２１】
また、前記転送部は、前記転送情報を前記自機宛メールの本文に付加して転送してもよい。
【００２２】
これにより、ファクシミリ装置は、複雑な処理を伴わずに、配信先を決定するための情報をメールに付加することができる。
【００２３】
また、前記転送部は、前記転送情報を前記自機宛メールの添付ファイルとして付加して転送してもよい。
【００２４】
これにより、ファクシミリ装置は、配信先を決定するための情報を容易に抽出することができる。
【００２５】
また、前記第１受信部は、複数の配信先候補のうちいずれの配信先への配信も可能である場合、前記自機宛メールを受信し、前記複数の配信先候補のうちいずれかの配信先への配信が可能でない場合、前記自機宛メールの受信を停止し、前記配信部は、前記複数の配信先候補のうちいずれの配信先への配信も可能である場合、前記複数の配信先候補から前記配信先を決定し、前記第１受信部および前記第２受信部が受信した前記画像データを前記配信先に配信し、前記転送部は、前記複数の配信先候補のうちいずれかの配信先への配信が可能でない場合、前記第２受信部が受信した前記画像データを前記自機宛メールとして前記メールサーバに転送してもよい。
【００２６】
これにより、複数の配信先候補がある場合であっても、画像データが、所望の配信先に配信される。
【００２７】
また、前記配信部は、前記第１受信部が受信した前記画像データを配信する前記配信先を前記自機宛メールのヘッダにより決定し、前記第１受信部は、前記自機宛メールの前記ヘッダを受信し、前記ヘッダによって決定される前記配信先への配信が可能である場合、前記自機宛メールを受信し、前記配信先への配信が可能でない場合、前記自機宛メールを受信しなくてもよい。
【００２８】
これにより、ファクシミリ装置は、複数の配信先候補のうち一部の配信先への配信が可能でない場合の影響を低減させることができる。
【００２９】
また、前記第１受信部は、ＰＯＰにより前記自機宛メールを受信し、前記第２受信部は、前記送信元から電話網経由による前記画像データの受信、および、前記送信元から前記メールサーバを経由しないダイレクトＳＭＴＰによる前記画像データの受信のうち、少なくとも一方により前記画像データを受信してもよい。
【００３０】
これにより、配信先が停止している場合、ファクシミリ装置は、ダイレクトＳＭＴＰまたは電話網によって受信された画像データを自機宛メールとして転送する。そして、ファクシミリ装置は、配信先が停止している時、ＰＯＰによるメールの受信を停止するため、配信先が停止している時に受信した画像データを維持しなくてよい。そして、配信先が再開した時、ファクシミリ装置は、ＰＯＰによるメールの受信を再開するため、配信先が停止している時に受信した画像データを配信先に配信することができる。
【発明の効果】
【００３１】
本発明により、配信先が停止している時に受信した画像データを配信先に配信することができる。
【図面の簡単な説明】
【００３２】
【図１】図１は、実施の形態１におけるファクシミリ装置の概要を示す図である。
【図２】図２は、実施の形態１におけるファクシミリ装置の構造を示す図である。
【図３】図３は、実施の形態１におけるファクシミリ装置の特徴的な構成要素を示す図である。
【図４Ａ】図４Ａは、実施の形態１において、配信が可能である場合のデータの流れを示す図である。
【図４Ｂ】図４Ｂは、実施の形態１において、配信が可能でない場合のデータの流れを示す図である。
【図５】図５は、実施の形態１におけるファクシミリ装置の受信処理の流れを示すフローチャートである。
【図６】図６は、実施の形態１におけるファクシミリ装置の配信処理の流れを示すフローチャートである。
【図７】図７は、実施の形態１におけるファクシミリ装置の動作の概要を示す図である。
【図８】図８は、実施の形態２におけるファクシミリ装置の受信処理の流れを示すフローチャートである。
【図９】図９は、実施の形態２におけるファクシミリ装置の配信処理の流れを示すフローチャートである。
【発明を実施するための形態】
【００３３】
（実施の形態１）
まず、本発明に係る実施の形態１について、図面を用いて説明する。
【００３４】
図１は、実施の形態１におけるファクシミリ装置の概要を示す図である。
【００３５】
図１に示されたファクシミリ装置１０は、送信元１１によって送信された画像データを受信するファクシミリ装置である。画像データには、図形および文字等が含まれる。ファクシミリ装置１０は、ＰＳＴＮ（Ｐｕｂｌｉｃ  Ｓｗｉｔｃｈｅｄ  Ｔｅｌｅｐｈｏｎｅ  Ｎｅｔｗｏｒｋ：公衆回線交換電話網）１４およびインターネット１５に接続されている。また、ファクシミリ装置１０は、配信先１２に接続するためのネットワークであるＬＡＮ１６にも接続されている。
【００３６】
送信元１１は、ファクシミリ装置１０に画像データを送信する装置であって、例えば、ファクシミリ装置、複合機またはコンピュータ等である。送信元１１は、ＰＳＴＮ１４およびインターネット１５に接続されている。なお、送信元１１は、ＰＳＴＮ１４およびインターネット１５の両方ではなく、いずれか一方に接続されていてもよい。
【００３７】
配信先１２は、ファクシミリ装置１０によって配信された画像データを受け取って、記憶するための装置であって、例えば、コンピュータまたは記憶装置等である。配信先１２は、ＬＡＮ１６を介して、ファクシミリ装置１０に接続されている。
【００３８】
メールサーバ１３は、メールを送受信するためのサーバであって、インターネット１５に接続されている。
【００３９】
ここで、送信元１１からファクシミリ装置１０への画像データの送信には、通常のファクシミリ送信、メールサーバ１３を経由するインターネットファクシミリ送信、および、メールサーバ１３を経由しないインターネットファクシミリ送信がある。
【００４０】
通常のファクシミリ送信が用いられる場合、送信元１１は、ＰＳＴＮ１４を介して、画像データをファクシミリ装置１０に送信する。そして、ファクシミリ装置１０は、ＰＳＴＮ１４を介して、画像データを送信元１１から受信する。
【００４１】
メールサーバ１３を経由するインターネットファクシミリ送信が用いられる場合、送信元１１は、インターネット１５を介して、ファクシミリ装置１０宛のメールをメールサーバ１３に送信する。メールサーバ１３は、送信元１１が送信したメールを受信する。そして、メールサーバ１３は、ファクシミリ装置１０からの要求に応じて、ファクシミリ装置１０宛のメールをファクシミリ装置１０に送信する。
【００４２】
メールサーバ１３を経由しないインターネットファクシミリ送信が用いられる場合、送信元１１は、インターネット１５を介して、メールサーバ１３を経由しないで、画像データをファクシミリ装置１０に送信する。このとき、送信元１１は、ダイレクトＳＭＴＰによって、ファクシミリ装置１０と直接通信する。そして、ファクシミリ装置１０は、インターネット１５を介して、メールサーバ１３を経由しないで、画像データを送信元１１から受信する。
【００４３】
そして、ファクシミリ装置１０は、受信した画像データを配信先１２に配信する。配信先１２は、例えば、送信元１１のファクシミリ番号である送信元ファクシミリ番号、送信元１１のメールアドレスである差出人メールアドレス、および、メールタイトル等の受信情報によって決定される。配信先１２は、予め定められていてもよい。
【００４４】
図１に示されたように、ファクシミリ装置１０は、各機器に接続され、送信元１１から画像データを受信し、受信した画像データを配信先１２に配信する。
【００４５】
なお、図１において、１個の送信元１１が示されているが、複数の送信元があってもよい。また、図１において、２個の配信先１２が示されているが、１個の配信先または３個以上の配信先があってもよい。
【００４６】
また、ＬＡＮ１６は、インターネット１５に接続されていてもよい。この場合、ファクシミリ装置１０は、ＬＡＮ１６を介して、インターネット１５に接続されていてもよい。また、この場合、メールサーバ１３は、ＬＡＮ１６を介して、インターネット１５に接続されていてもよい。
【００４７】
図２は、図１に示されたファクシミリ装置１０の構造を示す図である。
【００４８】
ファクシミリ装置１０は、処理部として、ＣＰＵ（Ｃｅｎｔｒａｌ  Ｐｒｏｃｅｓｓｉｎｇ  Ｕｎｉｔ）２１を備える。また、ファクシミリ装置１０は、記憶部として、ＲＯＭ（Ｒｅａｄ  Ｏｎｌｙ  Ｍｅｍｏｒｙ）２２、および、ＲＡＭ（Ｒａｎｄｏｍ  Ａｃｃｅｓｓ  Ｍｅｍｏｒｙ）２４を備える。
【００４９】
また、ファクシミリ装置１０は、通信部として、モデム２６、ＮＣＵ（Ｎｅｔｗｏｒｋ  Ｃｏｎｔｒｏｌ  Ｕｎｉｔ）２７、および、ＬＡＮインタフェース３２を備える。また、ファクシミリ装置１０は、入出力インタフェースとして、操作パネル２８、ディスプレイ２９、スキャナ３０、および、プリンタ３１を備える。
【００５０】
また、ＲＯＭ２２には、制御プログラム２３が記憶されている。そして、ＲＡＭ２４には、配信先情報２５が記憶されている。
【００５１】
ＣＰＵ２１は、ＲＯＭ２２に記憶された制御プログラム２３等を実行するプロセッサである。
【００５２】
ＲＯＭ２２は、制御プログラム２３等を保持する読み出し専用メモリである。
【００５３】
ＲＡＭ２４は、揮発性の記憶領域等を有する読み書き可能なメモリである。ＲＡＭ２４は、ＣＰＵ２１が制御プログラム２３等を実行する時に、ワークエリアとして使用される。また、ＲＡＭ２４は、配信先情報２５を保持している。配信先情報２５は、送信元ファクシミリ番号、差出人メールアドレス、および、メールタイトル等によって配信先１２を決定するための設定情報である。配信先情報２５は、予め定められた配信先１２の情報であってもよい。
【００５４】
モデム２６は、外部へ送信する画像データを変調し、外部から送信された画像データを復調する装置である。
【００５５】
ＮＣＵ２７は、ＰＳＴＮ１４に接続される回線終端装置である。
【００５６】
操作パネル２８は、直接、ユーザがファクシミリ装置１０に指示をする時に用いられる入力インタフェース装置である。
【００５７】
ディスプレイ２９は、ユーザに動作状態を示すための液晶表示装置等である。
【００５８】
スキャナ３０は、原稿を読み取って、画像データを生成する画像読み取り装置である。
【００５９】
プリンタ３１は、印刷装置であり、受信した画像データを印刷して出力する。
【００６０】
ＬＡＮインタフェース３２は、ＬＡＮインタフェースカード等であり、データの送受信を行う通信インタフェース装置である。ＬＡＮインタフェース３２は、ＬＡＮ１６、および、インターネット１５に接続される。
【００６１】
図３は、図１に示されたファクシミリ装置１０の特徴的な構成要素を示す図である。
【００６２】
図３に示されたファクシミリ装置１０は、第１受信部５１と第２受信部５２と配信部５３と転送部５４とを備える。
【００６３】
第１受信部５１は、図２に示されたＣＰＵ２１、ＬＡＮインタフェース３２等によって実現される受信処理部である。第１受信部５１は、メールサーバ１３から自機宛メールを取得する。
【００６４】
これにより、第１受信部５１は、送信元１１からメールサーバ１３を経由してファクシミリ装置１０宛のメールである自機宛メールを画像データとして受信する。すなわち、第１受信部５１は、メールサーバ１３を経由するインターネットファクシミリ送信を用いて送信された画像データを受信する。なお、第１受信部５１は、典型的には、ＰＯＰを用いて、自機宛メールを受信する。また、第１受信部５１は、配信先１２への配信が可能でない場合、自機宛メールの受信を停止する。
【００６５】
第２受信部５２は、図２に示されたＣＰＵ２１、モデム２６、ＮＣＵ２７およびＬＡＮインタフェース３２等によって実現される受信処理部である。第２受信部５２は、送信元１１からメールサーバ１３を経由しないで画像データを受信する。すなわち、第２受信部５２は、通常のファクシミリ送信、または、メールサーバ１３を経由しないインターネットファクシミリ送信を用いて送信された画像データを受信する。
【００６６】
配信部５３は、図２に示されたＣＰＵ２１、ＬＡＮインタフェース３２等によって実現される送信処理部である。配信部５３は、配信先情報２５および受信情報を用いて、複数の配信先候補から配信先１２を決定する。また、配信部５３は、配信先１２への配信が可能であるか否かを判定する。そして、配信部５３は、配信先１２への配信が可能である場合、第１受信部５１および第２受信部５２によって受信された画像データを配信先１２に配信する。
【００６７】
転送部５４は、図２に示されたＣＰＵ２１、ＬＡＮインタフェース３２等によって実現される送信処理部である。転送部５４は、配信先１２への配信が可能でない場合、第２受信部５２が受信した画像データを自機宛メールとしてメールサーバ１３に転送する。転送部５４は、複数の機器を介して、画像データを自機宛メールとしてメールサーバ１３に転送してもよい。例えば、転送部５４は、メール送信用のサーバを経由して、画像データを自機宛メールとしてメールサーバ１３に転送する。
【００６８】
図４Ａは、図３に示されたファクシミリ装置１０において、配信が可能である場合のデータの流れを示す図である。
【００６９】
第１受信部５１および第２受信部５２は、送信元１１から画像データを受信する。
【００７０】
配信部５３は、第１受信部５１および第２受信部５２によって受信された画像データを配信先１２に配信する。
【００７１】
図４Ｂは、図３に示されたファクシミリ装置１０において、配信が可能でない場合のデータの流れを示す図である。
【００７２】
配信が可能でない場合、第１受信部５１は、メールサーバ１３から自機宛メールの取得を停止する。すなわち、第１受信部５１は、画像データを受信しない。
【００７３】
一方、第２受信部５２は、メールサーバ１３を経由しないで、送信元１１から、直接、画像データを受信する。このとき、第２受信部５２が受信を停止した場合、送信元１１が画像データの送信に失敗し、送信元１１のユーザは再送信しなければならなくなる。そのため、第２受信部５２は、配信が可能でない場合も、画像データの受信を停止しない。
【００７４】
そして、転送部５４は、第２受信部５２によって受信された画像データを自機宛メールとして、メールサーバ１３に転送する。
【００７５】
このようにして、ファクシミリ装置１０は、配信が可能である場合、配信先１２へ画像データを配信し、配信が可能でない場合、自機宛メールとして画像データをメールサーバ１３に転送する。これにより、ファクシミリ装置１０は、配信が可能でないときに受信した画像データを維持および管理しなくてもよい。転送された自機宛メールは、配信が可能になった後に、第１受信部５１によって受信される。
【００７６】
図５は、図３に示されたファクシミリ装置１０の受信処理の流れを示すフローチャートである。
【００７７】
まず、第１受信部５１は、所定の時間を経過しているか否かを判定する（Ｓ１１）。
【００７８】
ここで、第１受信部５１は、所定の時間を経過していない場合（Ｓ１１でＮｏ）、再度、所定の時間を経過しているか否かを判定する（Ｓ１１）。これにより、第１受信部５１は、所定の時間を経過するまで、処理を待機する。
【００７９】
一方、所定の時間を経過している場合（Ｓ１１でＹｅｓ）、配信部５３は、配信先１２への配信が可能であるか否かを判定する（Ｓ１２）。配信部５３は、例えば、配信先１２に接続を試行することによって、配信先１２への配信が可能であるか否かを判定する。また、複数の配信先候補がある場合であって、複数の配信先候補のうちいずれかへの配信が可能でない場合、配信部５３は、配信先１２への配信が可能でないと判定してもよい。
【００８０】
ここで、配信が可能である場合（Ｓ１２でＹｅｓ）、第１受信部５１は、メールサーバ１３から自機宛メールを受信する（Ｓ１３）。これにより、第１受信部５１は、送信元１１からメールサーバ１３を経由して画像データを受信する。一方、配信が可能でない場合（Ｓ１２でＮｏ）、第１受信部５１は、画像データを受信しない。
【００８１】
次に、第１受信部５１は、所定の時間をリセットする（Ｓ１４）。そして、再度、第１受信部５１は、所定の時間を経過しているか否かを判定する（Ｓ１１）。つまり、再度、第１受信部５１は、所定の時間を経過するまで、処理を待機する。
【００８２】
これにより、第１受信部５１は、配信先１２への配信が可能である場合、送信元１１からメールサーバ１３を経由して画像データを含む自機宛メールを受信し、配信先１２への配信が可能でない場合、自機宛メールを受信しない。なお、第２受信部５２は、配信先１２への配信が可能であるか否かに関わらず、送信元１１からメールサーバ１３を経由しないで画像データを受信する。
【００８３】
図６は、図３に示されたファクシミリ装置１０の配信処理の流れを示すフローチャートである。
【００８４】
まず、配信部５３は、配信先１２への配信が可能であるか否かを判定する（Ｓ２１）。配信部５３は、例えば、配信先１２に接続を試行することによって、配信先１２への配信が可能であるか否かを判定する。また、複数の配信先候補がある場合であって、複数の配信先候補のうちいずれかへの配信が可能でない場合、配信部５３は、配信先１２への配信が可能でないと判定してもよい。
【００８５】
ここで、配信が可能でない場合（Ｓ２１でＮｏ）、転送部５４は、受信された画像データを自機宛メールとしてメールサーバ１３に転送する（Ｓ２６）。転送部５４は、転送する時に、転送情報をメールの本文またはヘッダに付加する。転送情報は、最初に受信した時における、送信元ファクシミリ番号、差出人メールアドレスまたはメールタイトル等であって、配信先１２を決定するための情報である。これにより、配信が可能になった後、転送情報に基づいて、画像データが配信される。
【００８６】
転送情報は、配信先１２へ配信するための宛先情報である配信先アドレスであってもよい。すなわち、配信部５３が受信情報によって配信先１２を決定した後、転送部５４が、決定された配信先１２の情報を自機宛メールに付加して、自機宛メールを転送してもよい。
【００８７】
一方、配信が可能である場合（Ｓ２１でＹｅｓ）、配信部５３は、画像データが第２受信部５２によって受信された画像データであるか否かを判定する（Ｓ２２）。ここで、画像データが、第２受信部５２によって受信されていた場合（Ｓ２２でＮｏ）、つまり、第１受信部５１によって自機宛メールとして受信されていた場合、配信部５３は、自機宛メールに転送情報が付加されているか否かを判定する（Ｓ２３）。
【００８８】
ここで、画像データが第２受信部５２によって受信されていた場合（Ｓ２２でＹｅｓ）、または、転送情報が付加されていなかった場合（Ｓ２３でＮｏ）、配信部５３は、通常通り、受信情報に基づいて、配信先１２に画像データを配信する（Ｓ２４）。
【００８９】
一方、画像データが第２受信部５２によって受信されていなかった場合（Ｓ２２でＮｏ）、かつ、転送情報が付加されていた場合（Ｓ２３でＹｅｓ）、配信部５３は、転送情報に基づいて、配信先１２に画像データを配信する（Ｓ２５）。これにより、最初に受信した時における、送信元ファクシミリ番号、差出人メールアドレスまたはメールタイトル等、あるいは、転送前に決定された配信先アドレスに基づいて、画像データが配信される。
【００９０】
以上により、配信先１２が停止している時に受信された画像データが、配信先１２への配信が可能になった後、配信先１２に配信される。
【００９１】
図７は、図１に示されたファクシミリ装置１０の動作の概要を示す図である。
【００９２】
ファクシミリ装置１０は、送信元１１から画像データを受信する。
【００９３】
配信が可能でない場合、ファクシミリ装置１０は、メールサーバ１３からの自機宛メールの受信を停止する。そして、ファクシミリ装置１０は、受信した画像データを自機宛メールとしてメールサーバ１３に転送する。この時、ファクシミリ装置１０は、配信先１２を決定するための転送情報を自機宛メールに付加する。
【００９４】
そして、配信が可能になった後、ファクシミリ装置１０は、画像データをメールサーバ１３から自機宛メールとして受信する。そして、ファクシミリ装置１０は、受信した画像データを配信先１２に配信する。この時、配信先１２は、転送情報に基づいて決定される。
【００９５】
これにより、ファクシミリ装置１０は、配信先１２が停止している時に受信した画像データを配信先１２に配信することができる。
【００９６】
なお、実施の形態１では、配信部５３が、受信情報等に基づいて、配信先１２を決定しているが、他の処理部が、配信先１２を決定してもよい。また、実施の形態１では、配信部５３が、配信が可能であるか否かを判定しているが、他の処理部が、配信が可能であるか否かを判定してもよい。また、独立した制御部が、これらの処理を行ってもよい。
【００９７】
また、配信先１２の宛先が、予め定められており、最初に受信した時の受信情報によって変わらない場合、転送部５４は、転送情報を自機宛メールに付加しなくてもよい。
【００９８】
また、実施の形態１では、第２受信部５２は、通常のファクシミリ送信、および、ダイレクトＳＭＴＰによるインターネットファクシミリ送信によって送信された画像データを受信している。しかし、第２受信部５２は、通常のファクシミリ送信、および、ダイレクトＳＭＴＰによるインターネットファクシミリ送信のうちいずれか一方のみに対応する構成であってもよい。
【００９９】
また、配信先１２は、ファクシミリ装置１０が最初に画像データを受信した受信日時、または、送信元１１が画像データを送信した送信日時によって決定されてもよい。このような受信日時または送信日時が、転送情報に含まれてもよい。
【０１００】
また、上述の通り、転送部５４は、メールのメッセージ部分である本文に、転送情報を付加して転送してもよい。この場合、転送部５４は、複雑な処理を伴わずに、転送情報を付加することができる。また、転送部５４は、メールの添付ファイルとして、転送情報を付加してもよい。これにより、メールに付加された転送情報の抽出が容易になる。
【０１０１】
また、複数の配信先候補が、１つのコンピュータ内のそれぞれ異なるフォルダである場合がある。このような場合、配信部５３は、その１つのコンピュータに接続できるか否かを確認することにより、配信先１２への配信が可能であるか否かを判定してもよい。
【０１０２】
（実施の形態２）
次に、本発明に係る実施の形態２について、図面を用いて説明する。
【０１０３】
実施の形態２におけるファクシミリ装置の構成は、図２および図３に示されたファクシミリ装置１０の構成と同様である。実施の形態１におけるファクシミリ装置１０は、配信が可能でない時、配信、および、第１受信部５１による受信を停止しているが、実施の形態２におけるファクシミリ装置１０は、配信、および、第１受信部５１による受信を部分的に停止する。
【０１０４】
図８は、実施の形態２におけるファクシミリ装置１０の受信処理の流れを示すフローチャートである。
【０１０５】
まず、第１受信部５１は、所定の時間を経過しているか否かを判定する（Ｓ３１）。
【０１０６】
ここで、第１受信部５１は、所定の時間を経過していない場合（Ｓ３１でＮｏ）、再度、所定の時間を経過しているか否かを判定する（Ｓ３１）。これにより、第１受信部５１は、所定の時間を経過するまで、処理を待機する。
【０１０７】
一方、所定の時間を経過している場合（Ｓ３１でＹｅｓ）、第１受信部５１は、自機宛メールのヘッダを受信する（Ｓ３２）。
【０１０８】
次に、配信部５３は、配信先１２への配信が可能であるか否かを判定する（Ｓ３３）。配信先１２は、自機宛メールのヘッダにより、決定される。配信部５３は、例えば、配信先１２に接続を試行することによって、配信先１２への配信が可能であるか否かを判定する。
【０１０９】
ここで、配信が可能である場合（Ｓ３３でＹｅｓ）、第１受信部５１は、メールサーバ１３から自機宛メールを受信する（Ｓ３４）。これにより、第１受信部５１は、送信元１１からメールサーバ１３を経由して画像データを受信する。一方、配信が可能でない場合（Ｓ３３でＮｏ）、第１受信部５１は、画像データを受信しない。
【０１１０】
次に、第１受信部５１は、所定の時間をリセットする（Ｓ３５）。そして、再度、第１受信部５１は、所定の時間を経過しているか否かを判定する（Ｓ３１）。つまり、再度、第１受信部５１は、所定の時間を経過するまで、処理を待機する。
【０１１１】
これにより、第１受信部５１は、配信が可能である配信先への画像データを受信し、配信が可能でない配信先への画像データを受信しない。例えば、２つの配信先があって、一方の配信先への配信が可能であって、他方の配信先への配信は可能でない場合がある。このような場合、ファクシミリ装置１０は、配信が可能でない配信先への画像データの受信のみを停止することにより、配信先の停止による影響を低減させることができる。
【０１１２】
図９は、実施の形態２におけるファクシミリ装置１０の配信処理の流れを示すフローチャートである。
【０１１３】
まず、配信部５３は、画像データが第２受信部５２によって受信された画像データであるか否かを判定する（Ｓ４１）。
【０１１４】
ここで、画像データが第２受信部５２によって受信されていた場合（Ｓ４１でＹｅｓ）、配信部５３は、受信情報を用いて配信先１２を決定する（Ｓ４２）。受信情報は、受信時の送信元ファクシミリ番号、差出人メールアドレスおよびメールタイトル等の情報である。
【０１１５】
一方、画像データが第２受信部５２によって受信されていなかった場合（Ｓ４１でＮｏ）、つまり、第１受信部５１によって自機宛メールとして受信されていた場合、配信部５３は、自機宛メールのヘッダに転送情報が付加されているか否かを判定する（Ｓ４３）。
【０１１６】
ここで、転送情報が付加されている場合（Ｓ４３でＹｅｓ）、配信部５３は、自機宛メールのヘッダに含まれる転送情報に基づいて、配信先１２を決定する（Ｓ４４）。
【０１１７】
一方、転送情報が付加されていない場合（Ｓ４３でＮｏ）、配信部５３は、自機宛メールのヘッダに含まれる受信情報に基づいて、配信先１２を決定する（Ｓ４５）。ここで、受信情報は、差出人メールアドレスおよびメールタイトル等の情報である。
【０１１８】
次に、配信部５３は、決定した配信先１２への配信が可能であるか否かを判定する（Ｓ４６）。配信部５３は、例えば、配信先１２に接続を試行することによって、配信先１２への配信が可能であるか否かを判定する。
【０１１９】
なお、図８に示された通り、第１受信部５１は、配信が可能である画像データを受信している。したがって、ここでの判定（Ｓ４６）は、実質的に、画像データが第２受信部５２によって受信されていた場合を対象とする。また、画像データが第１受信部５１によって受信されていた場合、配信部５３は、ここでの判定（Ｓ４６）において、配信が可能であると判定してもよい。
【０１２０】
ここで、配信が可能である場合（Ｓ４６でＹｅｓ）、配信部５３は、決定した配信先１２に画像データを配信する（Ｓ４７）。
【０１２１】
一方、配信が可能でない場合（Ｓ４６でＮｏ）、転送部５４は、画像データを自機宛メールとしてメールサーバ１３に転送する（Ｓ４８）。転送部５４は、転送する時に、転送情報をメールのヘッダに付加する。転送情報は、最初に受信した時における、送信元ファクシミリ番号、差出人メールアドレスまたはメールタイトル等の受信情報であって、配信先１２を決定するための情報である。転送情報は、配信先１２へ配信するための宛先情報である配信先アドレスであってもよい。
【０１２２】
転送部５４は、規定により定められるヘッダに転送情報を付加してもよいし、拡張されたヘッダに付加してもよい。
【０１２３】
これにより、画像データは、配信先１２への配信が可能になった後、配信先１２に配信される。
【０１２４】
以上に示されたように、実施の形態２におけるファクシミリ装置１０は、配信が可能でない場合、画像データを自機宛メールとしてメールサーバ１３に転送する。さらに、ファクシミリ装置１０は、メールのヘッダにより、受信を制御する。そして、ファクシミリ装置１０は、配信が可能である画像データを配信先１２へ配信し、配信が可能でない画像データをメールサーバに蓄積させる。これにより、ファクシミリ装置１０は、複数の配信先候補のうち、一部の配信先が停止していることによって発生する影響を低減させる。
【０１２５】
以上、本発明に係るファクシミリ装置について、実施の形態１および実施の形態２に基づいて説明したが、本発明はこれらの実施の形態に限定されるものではない。これらの実施の形態に対して当業者が思いつく変形を施して得られる別の形態も本発明に含まれる。また、これらの実施の形態における構成要素を任意に組み合わせて実現される別の形態も本発明に含まれる。
【０１２６】
また、本発明は、ファクシミリ装置として実現できるだけでなく、ファクシミリ装置を構成する処理手段をステップとする方法として実現できる。そして、本発明は、それらの方法に含まれるステップをコンピュータに実行させるプログラムとして実現できる。さらに、本発明は、そのプログラムを記憶したＣＤ−ＲＯＭ等のコンピュータ読み取り可能な記憶媒体として実現できる。
【産業上の利用可能性】
【０１２７】
本発明に係るファクシミリ装置は、配信先が停止している時に受信した画像データを配信先に配信することができ、例えば、複合機等に適用できる。
【符号の説明】
【０１２８】
１０  ファクシミリ装置
１１  送信元
１２  配信先
１３  メールサーバ
１４  ＰＳＴＮ
１５  インターネット
１６  ＬＡＮ
２１  ＣＰＵ
２２  ＲＯＭ
２３  制御プログラム
２４  ＲＡＭ
２５  配信先情報
２６  モデム
２７  ＮＣＵ
２８  操作パネル
２９  ディスプレイ
３０  スキャナ
３１  プリンタ
３２  ＬＡＮインタフェース
５１  第１受信部
５２  第２受信部
５３  配信部
５４  転送部
【図１】
0005499857.tif 000002
【図２】
0005499857.tif 000003
【図３】
0005499857.tif 000004
【図４Ａ】
0005499857.tif 000005
【図４Ｂ】
0005499857.tif 000006
【図５】
0005499857.tif 000007
【図６】
0005499857.tif 000008
【図７】
0005499857.tif 000009
【図８】
0005499857.tif 000010
【図９】
0005499857.tif 000011